(57)【要約】【課題】スピニングリールの糸係止具において、安価かつ容易な構成で、塑性変形を抑えて釣り糸を止めやすくする。【解決手段】糸係止具７０は、スピニングリールのスプール４に設けられる装着部７４と、装着部７４に取り付けられ、釣り糸を係止するため係止具本体７２と、を含む。係止具本体７２は、スプールと対面する第一面７２ｃ側に釣り糸導入部７１ｅと、釣り糸導入部７１ｅのスプール４と反対の第二面７２ｄ側に膨出する膨出部７２ｆとを、外周端部７３の少なくとも一部に有する。【選択図】図３
2014155469.tif 000002
【特許請求の範囲】
【請求項１】
スピニングリールのスプールに設けられる装着部と、
前記装着部に取り付けられ、釣り糸を係止するため係止具本体と、を含むスピニングリールの糸係止具であって、
前記係止具本体は、
外周端部の前記スプールに対面する第一面の少なくとも一部に設けられる釣り糸導入部と、
前記外周端部の前記第一面と反対側の第二面の少なくとも一部に前記釣り糸導入部と対向して設けられる膨出部と、を有する、スピニングリールの糸係止具。
【請求項２】
前記第二面は、少なくとも一部に平面を有し、
前記膨出部は、前記平面から隆起するように膨出変形されたものである、請求項１記載のスピニングリールの糸係止具。
【請求項３】
前記係止具本体の外周端部は、略円形であり、前記外周端部の少なくとも一部に前記膨出部及び前記釣り糸導入部が設けられている、請求項１又は２に記載のスピニングリールの糸係止具。
【請求項４】
前記係止具本体の外周端部は、略三角形であり、その略三角形の少なくとも一つの頂点付近に前記膨出部及び前記釣り糸導入部が設けられている、請求項１又は２に記載のスピニングリールの糸係止具。
【請求項５】
前記頂点付近は、円弧状に丸められている、請求項４に記載のスピニングリールの糸係止具。
【請求項６】
前記膨出部の前記外周端部の一端部からの長さと、前記釣り糸導入部の外周端部の一端部からの長さは、実質的に同一である、請求項１から５のいずれか１項に記載のスピニングリールの糸係止具。
【請求項７】
前記釣り糸導入部の前記外周端部の一端部からの長さは、前記膨出部の外周端部の一端部からの長さよりも短い、請求項１から５のいずれか１項に記載のスピニングリールの糸係止具。
【請求項８】
前記釣り糸導入部は、前記第一面側から前記第二面側に向かって前記スプールから離れる方向に傾斜する傾斜面を有している、請求項１から７のいずれか１項に記載のスピニングリールの糸係止具。
【請求項９】
前記傾斜面は、平面で構成され、前記傾斜部の平面と第一面とのなす角度が３０度から４０度の範囲である、請求項８に記載のスピニングリールの糸係止具。
【請求項１０】
釣り糸を前方に繰り出すスピニングリールのスプールであって、
前記釣り糸を巻き付けるための糸巻き胴部と、
前記糸巻き胴部の前部に設けられる前フランジ部と、
前記前フランジ部と対面して配置された後フランジ部、前記後フランジ部の外周部から後方に延びる筒状部、及び前記筒状部に外周面から平面的に凹んで形成された底面を有する凹部、を含むスカート部と、
前記凹部の底面に装着される、請求項１から９のいずれか１項に記載の前記糸係止具と、
を備えるスピニングリールのスプール。
【請求項１１】
前記膨出部と前記釣り糸導入部との境界部分は、前記スプールの外周面よりも径方向内側に配置される、請求項１０項に記載のスピニングリールのスプール。
【請求項１２】
前記境界部分は、円弧状に丸められている、請求項１１に記載のスピニングリールのスプール。
【請求項１３】
前記膨出部は、前記筒状部の外周面よりも径方向外方に配置される頂部を有する、請求項９から１２のいずれか１項に記載のスピニングリールのスプール。
【請求項１４】
前記第一面と前記スプールとの間に配置されたシート部材をさらに備える、請求項１０から１３のいずれか１項に記載のスピニングリールのスプール。
【発明の詳細な説明】
【技術分野】
【０００１】
本発明は、スピニングリールの糸係止具及びそれを用いたスピニングリールのスプールに関するものである。
【背景技術】
【０００２】
スピニングリールのスプールは、ハンドルの回転に応じて前後に往復移動する。スピニングリールは、糸巻き胴部と、前フランジ部と、スカート部とを、有する。スカート部には糸巻き胴部に巻かれた釣り糸を止めるための糸係止具が設けられている。
【０００３】
このような糸係止具は、糸巻き胴部に巻かれた釣り糸の先端部分を係止し、糸巻き胴部に巻かれた釣り糸の状態を維持するためのものである。
【０００４】
糸係止具は、たとえば合成樹脂製の係止具本体と、係止具本体と一体成形された板状の取付部とを有する。係止具本体は、たとえばスカート部の前部外周面に形成された凹部に収納され、外周面に沿って露出し、スカート部と僅かな隙間をあけて後方側に開口するように配置される。係止具本体の開口側の先端下面には、釣り糸を導入するため釣り糸導入部が設けられる。釣り糸導入部は、先端に向かって徐々に上方を向くように湾曲して傾斜する下面傾斜部が形成され、係止具本体の上面には、釣り糸導入部に向かって湾曲して傾斜する上面傾斜部が形成される。下面傾斜部と上面傾斜部が交わる境界部分の先端が丸められている。境界部分は、係止具本体の厚みの実質的に中央部分に形成される。
【先行技術文献】
【特許文献】
【０００５】
【特許文献１】特開２０１０−２７３６２６号公報
【特許文献２】特開２０１０−１４２２２０号公報
【発明の概要】
【発明が解決しようとする課題】
【０００６】
従来の糸係止具では、傾斜部と釣り糸導入部との境界部分が厚み方向のほぼ中央部分に形成されるので、釣り糸を釣り糸導入部に挿入しにくく、特に、比較太い釣り糸を使用する場合には、非常に挿入しにくくなる。そこで、特許文献２のように、境界部分を中央部分よりもやや径方向外方にずらすように配置することが考えられる。しかし、境界部分を径方向外方にずらすと、境界部分が形成される糸係止具の先端部分の肉厚が薄くなる。糸係止具の先端部分の肉厚が薄くなると、塑性変形しやすくなり、釣り糸を保持しにくい。これを避けるために、糸係止具全体の厚みを厚くすると、糸決めするときに糸係止具が弾性変形しにくくなったりして、釣り糸を糸係止具に止めにくくなる。そのため、特許文献２のように、別途バネ部材を設けたり、釣り糸を係止する係止凹部を設けたりすることが必要となり、コストの増加になるという問題点もある。
【０００７】
本発明の課題は、スピニングリールの糸係止具において、安価かつ容易な構成で、塑性変形を抑えて釣り糸を止めやすくすることにある。
【課題を解決するための手段】
【０００８】
本発明にかかるスピニングリールの糸係止具は、スピニングリールのスプールに設けられる装着部と、装着部に取り付けられ、釣り糸を係止するため係止具本体と、を含む。係止具本体は、外周端部のスプールと対面する第一面の少なくとも一部に設けられる釣り糸導入部と、外周端部の第一面と反対側の第二面の少なくとも一部に釣り糸導入部と対面して設けられる膨出部とを、有する。
【０００９】
このスピニングリールの糸係止具では、係止具本体の外周端部の少なくとも一部に、スプールに取り付けられたとき、スプールと対面する第一面（内側面）に、釣り糸導入部を設けると共に、その反対の第二面（外側面）に、膨出部を設けたので、糸係止具の釣り糸保持力を維持しつつ、釣り糸導入部を大きくすることができる。これにより、糸係止具において、安価かつ容易な構成で、塑性変形を抑えて釣り糸を止めやすくなる。
【００１０】
外面側の少なくとも一部に平面で構成し、膨出部をその平面から隆起するように膨出変形させてもよい。これにより、釣り糸が保持された際、塑性変形が係止具本体の外周端部だけでなく、より全体で塑性変形させることができるので、比較的太い釣り糸が係止された場合でも、保持力を維持することができる。
【００１１】
係止具本体の外周端部を略円形に構成し、その外周端部の少なくとも一部に膨出部及び釣り糸導入部が設けられてもよい。係止具本体を、略円形にすることにより、スプールへの取り付けの自由度が上がる。また、外周端部の全周に膨出部及び釣り糸導入部を設けた場合、より一層スプールへの取り付けの自由度が上がる。
【００１２】
係止具本体の外周端部を略三角形に構成し、その略三角形の少なくとも一つの頂点付近に膨出部及び釣り糸導入部が設けられてもよい。また、頂点付近は、円弧状に丸められていてもよい。これらにより、略三角形の頂点付近に、膨出部及び釣り糸導入部が設けられているので、係止しやすく、また、その保持力も、十分維持できる。
【００１３】
膨出部の外周端部の一端部からの長さと、釣り糸導入部の外周端部の一端部からの長さをほぼ同一としてもよい。この場合、釣り糸導入部の形成で、塑性変形の保持力がやや低下した部分と同一で一致した部分に、膨出部を形成したので、保持力を維持しつつ、比較的大きな釣り糸導入部を形成することができる。
【００１４】
釣り糸導入部の外周端部の一端部からの長さは、膨出部の外周端部の一端部からの長さよりも短い。この場合、比較的細い糸を使用した場合でも、釣り糸を保持することができるので、釣り糸の太い細いに関係なく、確実に保持することができるようになる。
【００１５】
釣り糸導入部は、第一面側から第二面側に向かってスプールから離れる方向に傾斜する傾斜面を有してもよい。釣り糸導入部を傾斜面とすることで、釣り糸を確実に、保持位置にまで、導入（ガイド）することができ、また、製作が容易にでき、さらに、塑性変形を管理しやすくなる。
傾斜面を平面で構成し、その平面と第一面とのなす角度が３０度から４０度の範囲で設けてもよい。これによって、釣り糸の導入と保持力、釣り糸の太さについても、バランス良く使い勝手の良いものとなる。
【００１６】
釣り糸を前方に繰り出すスピニングリールのスプールを、釣り糸を巻き付けるための糸巻き胴部と、糸巻き胴部の前部に設けられる前フランジ部と、前フランジ部と対面して配置された後フランジ部、後フランジ部の外周部から後方に延びる筒状部、及び筒状部に外周面から平面的に凹んで形成された底面を有する凹部、を含むスカート部で構成し、凹部の底面に上記の釣り糸係止具を設けてもよい。
【００１７】
スプールのスカート部の凹部の底面に、本発明における、少なくとも膨出部を有する釣り糸係止具を設けることで、比較的太い釣り糸でも、膨出部によって、確実に保持できるだけでなく、膨出部による影響を最小限に抑えることができる。
【００１８】
膨出部と釣り糸導入部との境界部分をスプールの外周面よりも径方向内側に配置してもよい。これにより、釣り糸が不用意に引っかかる等の不具合が生じにくくなる。
境界部分を円弧状に丸めてもよい。これにより、より一層、不用意な引っかかりを抑えることができる。
【００１９】
膨出部は、筒状部の外周面よりも径方向外方に配置される頂部を有してもよい。この場合には、膨出部が筒状部の外周面よりも径方向外方に配置されても、釣り糸が引っ掛かりにくい。
【００２０】
第一面とスプールとの間に配置されたシート部材をさらに備えてもよい。この場合には、シート部材に摺動性が高い合成樹脂を用いることにより、導入した釣り糸をスムーズに第一面とシート部材の間に配置できる。
【発明の効果】
【００２１】
本発明によれば、スプールと対面する第一面側に釣り糸導入部と、釣り糸導入部のスプールと反対の第二面側に膨出する膨出部とが、係止具本体の外周端部の少なくとも一部分に設けられたことにより、釣り糸を釣り糸導入部に挿入しやすくなり、釣り糸を止めやすくなるとともに、これらによって、塑性変形による釣り糸の係止を確実に行うことができやすくなる。
【図面の簡単な説明】
【００２２】
【図１】本発明の一実施形態が採用されたスピニングリールの側面図。
【図２】スピニングリールの側面断面図。
【図３】スプールの断面部分図。
【図４】スプール後部の側面拡大図。
【発明を実施するための形態】
【００２３】
本発明の一実施形態を採用したスピニングリール１００は、図１に示すように、ハンドル１を回転自在に支持するリール本体２と、ロータ３と、スプール４とを備えている。ロータ３は、スプール４に釣り糸を巻き付けるものであり、リール本体２の前部に回転自在に支持される。スプール４は、外周面に釣り糸を巻き取るものであり、ロータ３の前部に前後移動自在に配置される。なお、ハンドル１は、リール本体２の左側及び右側のいずれにも装着可能である。
【００２４】
リール本体２は、図１及び図２に示すように、開口を有するリールボディ２ａと、開口を塞ぐようにリールボディ２ａに着脱自在に装着された蓋部材２ｂと、蓋部材２ｂから斜め上前方に延びる竿取付脚２ｃとを有する。リールボディ２ａは内部に空間を有する。この空間内には、ハンドル１の回転に連動してロータ３を回転させるロータ駆動機構５と、スプール４を前後に移動させて釣り糸を均一に巻き取るためのオシレーティング機構６とが設けられている。
【００２５】
ロータ駆動機構５は、図２に示すように、ハンドル１が固定された駆動ギア軸１０とともに回転する駆動ギア１１と、この駆動ギア１１に噛み合うピニオンギア１２とを有する。ピニオンギア１２は、筒状に形成され、ロータ３の中心部を貫通する。そして、ピニオンギア１２の前部１２ａが、ナット１３によってロータ３に固定される。また、ピニオンギア１２の中間部と後端部とが、それぞれ軸受１４ａ、１４ｂを介してリール本体２に回転自在に支持される。
【００２６】
オシレーティング機構６は、図２に示すように、スプール４の中心部を貫通してドラグ機構６０に連結されたスプール軸１５を前後方向に移動させることで、スプール４をドラグ機構６０とともに前後移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有する。スライダ２２は、スプール軸１５の後端に回転不能に固定される。中間ギア２３は、図示しない減速機構を介してピニオンギア１２に噛み合う。この減速機構によって、オシレーティング機構６の前後移動速度が遅くなり、釣り糸をスプール４に緻密に巻き付けることができる。
【００２７】
ロータ３は、図２に示すように、ピニオンギア１２に一体回転可能に連結される連結部３０と、連結部３０の側方に互いに対向して設けられた第１ロータアーム３１及び第２ロータアーム３２とを有する。連結部３０と第１ロータアーム３１及び第２ロータアーム３２とは一体に成形される。
【００２８】
連結部３０の前部には前壁３３が形成され、この前壁３３の中央部にはボス部３３ａが設けられている。ボス部３３ａの中心部には貫通孔が形成され、この貫通孔をピニオンギア１２の前部１２ａ及びスプール軸１５が貫通する。前壁３３の前部にはナット１３が配置され、このナット１３によってピニオンギア１２の前部１２ａがロータ３に固定される。
【００２９】
第１ロータアーム３１は、連結部３０から外方に向けて凸状に湾曲して前方へと延びている。第１ロータアーム３１の先端外周側には、第１ベール支持部材４０が揺動自在に装着される。第１ベール支持部材４０の先端には、釣り糸をスプール４に案内するためのラインローラ４１が装着される。第２ロータアーム３２は、連結部３０から外方に凸に湾曲して前方に延びている。第２ロータアーム３２の先端外周側には、第２ベール支持部材４２が揺動自在に装着される。ラインローラ４１と第２ベール支持部材４２との間には、線材を略Ｕ状に湾曲させたベール４３が固定される。これらの第１ベール支持部材４０、第２ベール支持部材４２、ラインローラ４１及びベール４３によって、ベールアーム４４は構成される。ベールアーム４４は、図２に示す糸案内姿勢とそれから反転した糸開放姿勢との間で揺動自在である。
【００３０】
ロータ３の連結部３０の内部にはロータ３の逆転を禁止・解除するための逆転防止機構５０が配置される。逆転防止機構５０は、内輪が遊転するローラ型のワンウェイクラッチ５１と、ワンウェイクラッチ５１を作動状態（逆転禁止状態）と非作動状態（逆転許可状態）とに切り換える切換機構５２とを有する。
【００３１】
スプール４は、たとえばアルミニウム合金を鍛造成形して得られた大小２段の円筒状の部材である。スプール４は、ロータ３の第１ロータアーム３１と第２ロータアーム３２との間に配置されている。スプール４は、スプール軸１５の先端にドラグ機構６０を介して装着される。スプール４は、２つの軸受１６、１７によりスプール軸１５に回転自在に装着される。スプール４は、外周に釣り糸が巻かれる筒状の糸巻き胴部４ａと、糸巻き胴部４ａの前部に一体で形成された前フランジ部４ｂと、大径筒状のスカート部４ｃと、糸係止具７０と、を有する。糸巻き胴部４ａは、前フランジ部４ｂ及びスカート部４ｃと一体成形された部材であり、前方側からドラグ機構６０が装着される。
【００３２】
前フランジ部４ｂの外周部には、キャスティング時に釣り糸をスムーズに繰り出すための先拡がりのテーパ面を有するスプールリングカラー８が装着される。スプールリングカラー８は、糸巻き胴部４ａの前端に装着された固定部材９によって前フランジ部４ｂに固定される。固定部材９は、糸巻き胴部４ａの内周面に螺合する。
【００３３】
スカート部４ｃは、前フランジ部４ｂと対向して配置される後フランジ部４ｄと、後フランジ部４ｄの外周部に一体形成された筒状部４ｅと、を有する。スカート部４ｃは、ロータ３の連結部３０を覆うように筒状に糸巻き胴部４ａと一体で鍛造成形される。また、スカート部４ｃの後フランジ部４ｄと筒状部４ｅとの境界部分の外周面には、図３及び図４に示すように、糸係止具７０を装着可能な平坦な底面４ｇを有する凹部４ｆが形成される。凹部４ｆの後フランジ部４ｄ側には、筒状部４ｅを貫通し、糸係止具７０を取付可能な矩形の貫通孔４ｈが形成される。糸係止具７０の後述する第一面と凹部４ｆの底面４ｇとの間には、板状のシート部材８０が装着される。シート部材８０は、例えば摺動性が高いポリアセタール等の合成樹脂製である。
【００３４】
糸係止具７０は、図３及び図４に示すように、凹部４ｆの外周部に面して外方に露出して設けられた係止具本体７２と、係止具本体７２から略直角に配置され、貫通孔４ｈを貫通してスカート部４ｃ内部に延びる装着部７４とを有する。糸係止具７０は、弾性力を有する合成樹脂製部材である。
【００３５】
係止具本体７２は、平面視で外周端部７３が、角が丸められた概略三角形状の部分である。係止具本体７２は、釣り糸を凹部４ｆの底面４ｇとの間で挟持する。係止具本体７２は、後方側に延びる先端部７２ａを有する。先端部７２は外周端部７３の一端部の一例である。先端部７２ａには側部から見て境界部分７２ｂが形成される。境界部分７２ｂは、円弧状に丸められる。境界部分７２ｂは、この先端部７２ａを指先で持ち上げることによって、係止具本体７２と凹部４ｆとの間に隙間が形成される。この隙間に釣り糸を挟み込むことによって、釣り糸が係止具本体７２に係止される。
【００３６】
係止具本体７２は、図３に示すように、第一面７２ｃと、第二面７２ｄと、釣り糸導入部７２ｅと、膨出部７２ｆと、を有する。第一面７２ｃは、凹部４ｆの底面４ｇと対面する内側面である。第二面７２ｄは、第一面７２ｃとは反対で、第一面７２ｃと対向する外側面である。釣り糸導入部７２ｅは、外周端部７３の第一面７２ｃの少なくとも一部（この実施形態では一部）の先端部７２ａに設けられる。釣り糸導入部７２ｅは、先端部７２ａから第二面７２ｄ側に向かって斜めに形成される。膨出部７２ｆは、外周端部７３の第二面７２ｄの少なくとも一部で、この実施形態では釣り糸導入部７２ｅと対向した一部である先端部７２に設けられる。膨出部７２ｆは、釣り糸導入部７２ｅとの間に境界部分７２ｂが形成されるように第二面７２ｄから膨出する。境界部分７２ｂは、係止具本体７２の第一面７２ｃと第二面７２ｄとの中央部分よりも第二面７２ｄ側に配置される。境界部分７２ｂは、筒状部４ｅの外周面４ｉよりも径方向内側に配置される。
【００３７】
釣り糸導入部７２ｅの先端部７２ａから長さＬ２は、膨出部７２ｄｆの先端部７２ａからの長さＬ１よりもやや短い（Ｌ２＜Ｌ１）。また、釣り糸導入部７２ｅは、平面で構成され、釣り糸導入部７２ｅと第一面７２ｃとのなす角度αは、２５度から４５度、好ましくは、３０度から４０度の範囲である。このような角度範囲であると、釣り糸を第一面７２ｃとシート部材８０との間に引き込みやすい。膨出部７２ｆは、筒状部４ｅの外周面４ｉよりも径方向外方に配置される頂部７２ｇを有する。
【００３８】
装着部７４は、底面４ｇに形成された貫通孔４ｈを貫通して後フランジ部４ｄの後面にスタットボルト８２によって固定される。
【００３９】
糸係止具７０の係止具本体７２の第一面７２ｃの凹部４ｆの底面４ｇとの間には、板状のシート部材８０が装着される。シート部材８０は、例えば摺動性が高いポリアセタール等の合成樹脂製である。したがって、釣り糸は、シート部材８０と係止具本体７２の第一面７２ｃとの間に挟持される。
【００４０】
ドラグ機構６０は、スプール４とスプール軸１５との間に装着され、スプール４にドラグ力を作用させるための機構である。ドラグ機構６０は、ドラグ力を手で調整するためのつまみ部６１と、つまみ部６１によりスプール４側に押圧される複数枚のドラグ板６２とを有する。
【００４１】
次に、リールの操作及び動作について説明する。
【００４２】
釣りを行う際、キャスティングしてリール本体２から釣り糸を繰り出すために、ベールアーム４４を反転させてベールアーム４４を糸開放姿勢にする。この状態で、釣り竿を握る手の人差し指で釣り糸を引っかけながら釣り竿をキャスティングする。すると、釣り糸は仕掛けの重さによって勢いよく前方に放出される。そして、ハンドル１を糸巻取方向に回転させると、ロータ駆動機構５によりロータ３が糸巻取方向に回転し、ベールアーム４４が図示しないベール反転機構により糸巻取位置に復帰し、釣り糸がスプール４に巻き付けられる。
【００４３】
釣りを終わって釣り竿からスピニングリール１００を外し、スピニングリール１００をしまう時には、釣り糸の先端部を糸係止具７０に引っ掛ける。このとき、係止具本体７２の先端部７２ａを釣り糸で引っ掛けて持ち上げることによって、係止具本体７２とスカート部４ｃとの間に隙間を形成する。そして、この隙間に釣り糸を挟み込むことによって、釣り糸が係止具本体７２に係止される。このとき、係止具本体７２の第一面７２ｃ側の先端部に釣り糸導入部７２ｅが形成されているため、係止具本体７２を釣り糸で持ち上げやすくなり、釣り糸を糸係止具７０に容易に止めることができる。また、係止具本体７２の第二面７２ｄ側の先端部に膨出部７２ｆが形成されるため、釣り糸導入部７２ｅを設けても係止具本体７２の先端部の肉厚が薄くならない。このため、係止具本体７２の持ち上げ操作を繰り返して行っても、係止具本体７２の先端部７２ａが塑性変形しにくくなる。
【００４４】
また、膨出部７２ｆを設けたので、糸係止具７０の釣り糸保持力を維持しつつ、釣り糸導入部７２ｅを大きくすることができるので、安価かつ容易に構成できるだけでなく、釣り糸が保持された際、塑性変形が係止具本体７２の外周端部７３だけでなく、より全体で塑性変形させることができる。よって、比較的太い釣り糸が係止された場合でも、保持力を維持することができる。
【００４５】
＜特徴＞
上記実施形態は、下記のように表現可能である。
【００４６】
（Ａ）スピニングリール１００のスプール４は、糸巻き胴部４ａと、前フランジ部４ｂと、スカート部４ｃと、糸係止具７０と、を備える。糸巻き胴部４ａは、釣り糸を巻き付けるためのものである。前フランジ部４ｂは、糸巻き胴部４ａの前部に設けられる。スカート部４ｃは、前フランジ部４ｂと対面して配置された後フランジ部４ｄ、後フランジ部４ｄの外周部から後方に延びる筒状部４ｅ、及び後フランジ部４ｄと筒状部４ｅとの境界部分に外周面から平面的に凹んで形成された底面４ｇを有する凹部４ｆ、を有する。糸係止具７０は、係止具本体７２及び装着部７４を有する。係止具本体７２は、第一面７２ｃと第二面７２ｄと釣り糸導入部７２ｅと膨出部７２ｆとを有する。第一面７２ｃは底面４ｇに対面する面である。第二面７２ｄは第一面７２ｃと反対側の面である。釣り糸導入部７２ｅは、第一面７２ｃの先端部に第二面７２ｄに向かって傾斜して形成される。膨出部７２ｆは、第二面７２ｄの先端部に形成され釣り糸導入部７２ｅとの間に境界部分７２ｂが形成されるように第二面７２ｄから膨出する。境界部分７２ｂは、係止具本体７２の第一面７２ｃと第二面７２ｄとの中央部分よりも第二面７２ｄ側に配置される。装着部７４は、係止具本体７２の第一面７２ｃに一体形成され、底面４ｇを貫通して後フランジ部４ｄの後面に取り付けられる板状のものである。
【００４７】
このスピニングリール１００のスプール４では、糸係止具７０の先端部の底面４ｇに対面する第一面７２ｃに釣り糸導入部７２ｅが形成されるとともに、境界部分７２ｂによって釣り糸導入部７２ｅと連結される膨出部７２ｆが第二面７２ｄ形成される。膨出部７２ｆを設けることにより、釣り糸導入部７２ｅが設けられる係止具本体７２の先端側の肉厚を部分的に厚くする。これにより、係止具本体７２において釣り糸導入部７２ｅが設けられた先端部７２ａでの塑性変形を抑えつつ弾性変形を生じやすくすることができる。また、境界部分７２ｂは、係止具本体７２の第一面７２ｃと第二面７２ｄとの中央部分よりも第二面７２ｄ側、すなわち径方向外方に配置される。境界部分７２ｂを中央部分よりも第二面７２ｄ側に配置するにより、釣り糸を釣り糸導入部７２ｅに挿入しやすくなり、釣り糸を止めやすくなる。これらによって、塑性変形を抑えて釣り糸を止めやすくなる。
【００４８】
（Ｂ）スプール４において、境界部分７２ｂは、筒状部４ｅの外周面４ｉよりも径方向内側に配置されてもよい。この場合には、境界部分７２ｂがスカート部４ｃの筒状部４ｅの外周面４ｉから突出しないので、釣り糸が境界部分７２ｂに引っ掛からない。
【００４９】
（Ｃ）スプール４において、膨出部７２ｆは、筒状部４ｅの外周面４ｉよりも径方向外方に配置される頂部７２ｇを有してもよい。この場合には、膨出部７２ｆが筒状部４ｅの外周面４ｉよりも径方向外方に配置されても、釣り糸が引っ掛かりにくい。
【００５０】
（Ｄ）スプール４において、釣り糸導入部７２ｅは、平面で構成され、釣り糸導入部７２ｅと第一面７２ｃとのなす角度が３０度から４０度の範囲である。この場合には、釣り糸導入部７２ｅの角度αが大きいので、釣り糸を釣り糸導入部７２ｅに導入しやすい。
【００５１】
（Ｅ）スプール４において、境界部分７２ｂの先端は、円弧状に丸められている。この場合には、境界部分７２ｂが円弧状に丸められているので、釣り糸が傷付きにくい。
【００５２】
（Ｆ）スプール４において、第一面７２ｃと底面４ｇとの間に配置されたシート部材８０をさらに備える。この場合には、シート部材８０に摺動性が高い合成樹脂を用いることにより、導入した釣り糸をスムーズに第一面７２ｃとシート部材８０の間に配置できる。
【００５３】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組合せ可能である。
【００５４】
（ａ）前記実施形態では、フロントドラグ機構を有するスピニングリールを例にあげて説明したが、本発明はこれに限定されない。例えば、リアドラグ機構を有するスピニングリール、ロータを制動するレバーブレーキ機構を有するスピニングリール等の全てのスピニングリールにも本発明を適用できる。
【００５５】
（ｂ）前記実施形態では糸係止具の取付部を後フランジ部４ｄの後面に固定したが、本発明はこれに限定されない。取付部を径方向移動可能かつ径方向内方に付勢された状態で後フランジ部の後面に配置してもよい。
【００５６】
（ｃ）前記実施形態では、シート部材８０を設けたが、シート部材を設けなくてもよい。
【００５７】
（ｄ）前記実施形態では、スカート部４ｃの筒状部４ｅがロータ３の連結部３０を収納する形状であったが、本発明のスプールはこれに限定されない。糸巻き胴部にロータの連結部が収納されスプールにも本発明を適用できる。この場合、スカート部の筒状部のスプール軸方向の長さは短いものになる。
【００５８】
（ｅ）前記実施形態では、釣り糸導入部７２ｅの先端部７２ａからの長さＬ１が膨出部７２ｆの先端部７２ａからの長さＬ２よりも短かったが、実質的に同一であってもよい。
【００５９】
（ｆ）前記実施形態では、係止具本体７２の外周端部７３が略三角形であり、外周端部の一部に膨出部及び釣り糸導入部を設けたが、本発明はこれに限定されない。例えば、係止具本体の外周端部が略円形である場合、外周端部の全部に釣り糸導入部及び膨出部を設けてもよい。これにより、糸係止具のスプールへの取り付けが容易になるとともに、釣り糸の糸係止具への係止も容易になる。
【符号の説明】
【００６０】
４    スプール
４ａ  糸巻き胴部
４ｂ  前フランジ部
４ｃ  スカート部
４ｄ  後フランジ部
４ｅ  筒状部
４ｆ  凹部
４ｇ  底部
４ｉ  外周面
７０    糸係止具
７２    係止具本体
７２ａ  先端部
７２ｂ  境界部分
７２ｃ  第一面
７２ｄ  第二面
７２ｅ  釣り糸導入部
７２ｆ  膨出部
７２ｇ  頂部
７３    外周端部
７４    装着部
８０    シート部材
１００    スピニングリール
【図１】
2014155469.tif 000003
【図２】
2014155469.tif 000004
【図３】
2014155469.tif 000005
【図４】
2014155469.tif 000006